(57)【要約】【課題】コモン反転駆動における画素電極の書き込み不足を防止して、色むらを低減できる電気光学装置を提供すること。【解決手段】電気光学装置は、データ線駆動回路を備え、正極性書込および負極性書込を交互に行う。データ線駆動回路は、１つの入力端子に対して複数の出力端子ＯＴ１〜ＯＴ６を有し、当該複数の出力端子ＯＴ１〜ＯＴ６の中から選択された出力端子ＯＴを入力端子ＩＴに接続することにより、時分割信号として供給される画像信号を６つのデータ線Ｘ１〜Ｘ６に振り分けるデマルチプレクサ単位回路を複数備える。データ線Ｘ１〜Ｘ６のうち共通電極の電圧が反転された後に最初に選択されるものをデータ線Ｘ１とし、デマルチプレクサ単位回路は、データ線Ｘ１のみを第１の期間２Ｔで選択するとともに、データ線Ｘ１を除く残りのデータ線Ｘ２〜Ｘ６を第２の期間Ｔで順次選択する。【選択図】図３
2007178525.tif 000002
【特許請求の範囲】
【請求項１】
複数の走査線と、複数のデータ線と、前記走査線と前記データ線の交差に対応して設け
られた複数の画素電極と、この画素電極に対向する複数の共通電極と、前記走査線に印加
される電圧に基づいて前記データ線と前記画素電極とを導通状態または非導通状態とする
複数のスイッチング素子と、を備える電気光学装置であって、
前記走査線を順次選択する電圧を供給する走査線駆動回路と、
前記共通電極の電圧を所定の電位を基準として１水平走査期間以上の所定期間で反転さ
せるコモン線駆動回路と、
前記走査線が選択される期間において前記データ線に画像信号を供給するデータ線駆動
回路と、を備え、
前記データ線駆動回路は、１つの入力端子に対して複数の出力端子を有し、当該複数の
出力端子の中から選択された出力端子を前記入力端子に接続することにより、時分割信号
として供給される画像信号を前記複数のデータ線に振り分けるデマルチプレクサ単位回路
を複数備え、
前記複数のデータ線のうち前記共通電極の電圧が反転された後に最初に選択されるもの
を特定データ線とし、
前記デマルチプレクサ単位回路は、前記特定データ線のみを第１の期間で選択するとと
もに、前記特定データ線を除く残りのデータ線を第２の期間で順次選択することを特徴と
する電気光学装置。
【請求項２】
複数の走査線と、複数のデータ線と、前記走査線と前記データ線の交差に対応して設け
られた複数の画素電極と、この画素電極に対向する複数の共通電極と、前記走査線に印加
される電圧に基づいて前記データ線と前記画素電極とを導通状態または非導通状態とする
複数のスイッチング素子と、を備える電気光学装置であって、
前記走査線を順次選択する電圧を供給する走査線駆動回路と、
前記共通電極の電圧を所定の電位を基準として１水平走査期間以上の所定期間で反転さ
せるコモン線駆動回路と、
前記走査線が選択される期間において前記データ線に画像信号を供給するデータ線駆動
回路と、を備え、
前記データ線駆動回路は、１つの入力端子に対して複数の出力端子を有し、当該複数の
出力端子の中から選択された出力端子を前記入力端子に接続することにより、時分割信号
として供給される画像信号を前記複数のデータ線に振り分けるデマルチプレクサ単位回路
を複数備え、
前記複数のデータ線のうち前記共通電極の電圧が反転された後に最初に選択されるもの
を特定データ線とし、
前記デマルチプレクサ単位回路は、前記複数のデータ線のうち前記特定データ線を含む
少なくとも２つのデータ線を第１の期間で選択し、その後、前記特定データ線のみを第２
の期間で選択し、前記特定データ線を除く残りのデータ線を前記第２の期間と同じ長さの
期間で順次選択することを特徴とする電気光学装置。
【請求項３】
前記コモン線駆動回路により前記共通電極の電位を前記画素電極の電位よりも低くして
、前記走査線駆動回路により前記走査線を順次選択しながら、前記データ線駆動回路のデ
マルチプレクサ単位回路により前記データ線を選択して、この選択したデータ線に画像信
号を供給する正極性書込と、
前記コモン線駆動回路により前記共通電極の電位を前記画素電極の電位よりも高くして
、前記走査線駆動回路により前記走査線を順次選択しながら、前記データ線駆動回路のデ
マルチプレクサ単位回路により前記データ線を選択して、この選択したデータ線に画像信
号を供給する負極性書込と、を行う請求項１または２に記載の電気光学装置。
【請求項４】
前記デマルチプレクサ単位回路は、前記特定データ線を前記第１の期間で選択した後に
、非選択状態にすることなく、前記第２の期間まで連続して選択することを特徴とする請
求項２に記載の電気光学装置。
【請求項５】
請求項１乃至４に記載の電気光学装置を備えたことを特徴とする電子機器。
【発明の詳細な説明】
【技術分野】
【０００１】
本発明は、液晶表示装置などの電気光学装置の駆動方法に関する。
【背景技術】
【０００２】
従来より、電気光学装置として、アクティブマトリクス型の液晶表示装置が知られてい
る。このアクティブマトリクス型の液晶表示装置は、複数の走査線およびコモン線、これ
ら走査線およびコモン線に略直交する複数のデータ線、ならびに、走査線及びデータ線の
交差に対応して設けられた複数の画素回路を有する第１の基板と、この第１の基板に対向
して設けられた第２の基板と、前記第１の基板および前記第２の基板の間に設けられた電
気光学物質である液晶と、を備えている。
さらに、第１の基板には、走査線を駆動する走査線駆動回路と、データ線を駆動するデ
ータ線駆動回路と、が設けられている。
【０００３】
ここで、データ線駆動回路には、例えば、複数のデマルチプレクサ単位回路が含まれて
いる（特許文献１参照）。各デマルチプレクサ単位回路は、１つの入力端子および複数の
出力端子を有し、スイッチング素子により、これら複数の出力端子を順に選択して入力端
子に接続する。これにより、デマルチプレクサ単位回路は、信号源から時分割信号として
供給される画像信号を、データ線に振り分ける。
このようなデマルチプレクサ単位回路を含むデータ線駆動回路によれば、信号源から液
晶パネルへの信号配線数を大幅に削減でき、液晶表示装置の製造コストを低減できる。
【０００４】
一方、以上の液晶表示装置においては、液晶の劣化を防ぐために、一定周期で液晶に印
加する電圧の極性が反転される。具体的な駆動方法としては、例えば、フレーム毎に画素
電極への液晶印加電圧の極性を切り換えるフレーム反転駆動や、１水平ラインあるいは複
数の水平ライン毎に画素電極への液晶印加電圧の極性を反転させるＨライン反転駆動、画
素単位で画素電極への液晶印加電圧の極性を切り換えるＨＶ反転駆動などが知られている
。
【０００５】
しかしながら、これらの駆動方法では、共通電極を固定電位として、この固定電位に対
して正極側および負極側に一定の電位差が生じるように、画素電極の電位を設定する。そ
のため、画素電極の書き込み電圧には、前記一定の電位差の２倍のダイナミックレンジが
必要であり、消費電力が増大する。
【０００６】
そこで、Ｈライン反転駆動に加えて、少なくとも１水平ライン毎に共通電極の電圧も極
性反転させる駆動方法が提案されている（以降、Ｈ／コモン反転駆動と呼ぶ）。このＨ／
コモン反転駆動によれば、データ線駆動回路の出力のダイナミックレンジを小さくして、
電力消費を低減できる。
なお、以下の記載において、コモン反転駆動とは、上述のＨ／コモン反転駆動のほか、
画素電極の電圧の極性を反転させずに、共通電極の電圧の極性のみを反転させるコモン駆
動を含むものとする。
【特許文献１】特開平６−１３８８５１号公報
【発明の開示】
【発明が解決しようとする課題】
【０００７】
ところで、特許文献１のような複数のデマルチプレクサ単位回路を含む液晶表示装置に
おいて、コモン反転駆動を行うと、複数のデータ線のうち共通電極の極性が反転された後
に最初に選択されるものは、コモン線との容量結合により、電位が変動する。そのため、
共通電極の電圧極性を反転させた後、最初に画像データが書き込まれる画素電極について
は、他の画素電極に比べて、実際の書き込み電圧が必要な電圧よりも大幅に低くなり、そ
の結果、色むらが生じる場合があった。
【０００８】
そこで、本発明は、コモン反転駆動における画素電極の書き込み不足を防止して、色む
らを低減できる電気光学装置の駆動方法を提供することを目的とする。
【課題を解決するための手段】
【０００９】
本発明の電気光学装置は、複数の走査線と、複数のデータ線と、前記走査線と前記デー
タ線の交差に対応して設けられた複数の画素電極と、この画素電極に対向する複数の共通
電極と、前記走査線に印加される電圧に基づいて前記データ線と前記画素電極とを導通状
態または非導通状態とする複数のスイッチング素子と、を備える電気光学装置であって、
前記走査線を順次選択する電圧を供給する走査線駆動回路と、前記共通電極の電圧を所定
の電位を基準として１水平走査期間以上の所定期間で反転させるコモン線駆動回路と、前
記走査線が選択される期間において前記データ線に画像信号を供給するデータ線駆動回路
と、を備え、前記データ線駆動回路は、１つの入力端子に対して複数の出力端子を有し、
当該複数の出力端子の中から選択された出力端子を前記入力端子に接続することにより、
時分割信号として供給される画像信号を前記複数のデータ線に振り分けるデマルチプレク
サ単位回路を複数備え、前記複数のデータ線のうち前記共通電極の電圧が反転された後に
最初に選択されるものを特定データ線とし、前記デマルチプレクサ単位回路は、前記特定
データ線のみを第１の期間で選択するとともに、前記特定データ線を除く残りのデータ線
を第２の期間で順次選択することを特徴とする。
【００１０】
この発明によれば、複数のデータ線のうち共通電極の電圧が反転された後に最初に選択
されるものを特定データ線とし、デマルチプレクサ単位回路により、特定データ線のみを
第１の期間で選択するとともに、特定データ線を除く残りのデータ線を第２の期間で順次
選択する。
共通電極の電圧を反転させると、特定データ線の電位が変動するが、特定データ線を第
１の期間で選択したので、この特定データ線に係る画素電極にダミーで書き込むことがで
きるから、書き込み不足を防止して、色むらを低減できる。
【００１１】
本発明の電気光学装置は、複数の走査線と、複数のデータ線と、前記走査線と前記デー
タ線の交差に対応して設けられた複数の画素電極と、この画素電極に対向する複数の共通
電極と、前記走査線に印加される電圧に基づいて前記データ線と前記画素電極とを導通状
態または非導通状態とする複数のスイッチング素子と、を備える電気光学装置であって、
前記走査線を順次選択する電圧を供給する走査線駆動回路と、前記共通電極の電圧を所定
の電位を基準として１水平走査期間以上の所定期間で反転させるコモン線駆動回路と、前
記走査線が選択される期間において前記データ線に画像信号を供給するデータ線駆動回路
と、を備え、前記データ線駆動回路は、１つの入力端子に対して複数の出力端子を有し、
当該複数の出力端子の中から選択された出力端子を前記入力端子に接続することにより、
時分割信号として供給される画像信号を前記複数のデータ線に振り分けるデマルチプレク
サ単位回路を複数備え、前記複数のデータ線のうち前記共通電極の電圧が反転された後に
最初に選択されるものを特定データ線とし、前記デマルチプレクサ単位回路は、前記複数
のデータ線のうち前記特定データ線を含む少なくとも２つのデータ線を第１の期間で選択
し、その後、前記特定データ線のみを第２の期間で選択し、前記特定データ線を除く残り
のデータ線を前記第２の期間と同じ長さの期間で順次選択することを特徴とする。
【００１２】
この発明によれば、複数のデータ線のうち共通電極の電圧が反転された後に最初に選択
されるものを特定データ線とし、デマルチプレクサ単位回路により、特定データ線を含む
少なくとも２つのデータ線を第１の期間で選択し、その後、特定データ線のみを第２の期
間で選択し、特定データ線を除く残りのデータ線を前記第２の期間と同じ長さの期間で順
次選択する。
したがって、共通電極の電圧を反転させると、特定データ線の電位が変動するが、特定
データ線を含む少なくとも２つのデータ線に係る画素電極にダミーで書き込むことができ
るから、書き込み不足を防止して、色むらを低減できる。
【００１３】
上述の電気光学装置では、前記コモン線駆動回路により前記共通電極の電位を前記画素
電極の電位よりも低くして、前記走査線駆動回路により前記走査線を順次選択しながら、
前記データ線駆動回路のデマルチプレクサ単位回路により前記データ線を選択して、この
選択したデータ線に画像信号を供給する正極性書込と、前記コモン線駆動回路により前記
共通電極の電位を前記画素電極の電位よりも高くして、前記走査線駆動回路により前記走
査線を順次選択しながら、前記データ線駆動回路のデマルチプレクサ単位回路により前記
データ線を選択して、この選択したデータ線に画像信号を供給する負極性書込と、を行う
ことが好ましい。
【００１４】
この発明によれば、正極性書込と負極性書込とを行ったので、液晶に印加する電圧の極
性を反転でき、液晶の劣化を防止できる。
【００１５】
上述の電気光学装置では、前記デマルチプレクサ単位回路は、前記特定データ線を前記
第１の期間で選択した後に、非選択状態にすることなく、前記第２の期間まで連続して選
択することが好ましい。
【００１６】
この発明によれば、特定データ線を、第１の期間で選択した後に、非選択状態にするこ
となく、第２の期間まで連続して選択した。よって、デマルチプレクサ単位回路のオン、
オフ回数を削減できるから、デマルチプレクサ単位回路にかかる負担を軽減して、消費電
力を低減できる。
【００１７】
本発明の電子機器は、上述の電気光学装置を備えたことを特徴とする。
【発明を実施するための最良の形態】
【００１８】
以下、本発明の実施形態を図面に基づいて説明する。なお、以下の実施形態および変形
例の説明にあたって、同一構成要件については同一符号を付し、その説明を省略もしくは
簡略化する。
＜第１実施形態＞
図１は、本発明の第１実施形態に係る電気光学装置１の構成を示すブロック図である。
電気光学装置１は、Ｈ／コモン反転駆動方式を採用しており、液晶パネルＡＡと、図示
しないバックライトユニットと、からなる。この液晶パネルＡＡは、複数の画素５０を有
する表示領域Ａと、この表示領域Ａの周辺に設けられて画素５０を駆動する走査線駆動回
路２０と、データ線駆動回路３０と、コモン線駆動回路４０と、を備える。
【００１９】
液晶パネルＡＡは、所定間隔おきに交互に設けられたそれぞれｍ本（ｍは２以上の自然
数）の走査線Ｙ１〜Ｙｍおよびコモン線（容量線）Ｚ１〜Ｚｍと、これら走査線Ｙおよび
コモン線Ｚに交差し所定間隔おきに設けられたｎ本（ｎは２以上の自然数）のデータ線Ｘ
１〜Ｘｎと、を備え、画素５０は、各走査線Ｙと各データ線Ｘとの交差部に設けられる。
【００２０】
画素５０は、画素トランジスタ５１、画素電極５５、この画素電極５５に対向する共通
電極５６、および、一端が画素電極５５に電気的に接続され他端がコモン線Ｚに電気的に
接続された蓄積容量５３で構成される。
【００２１】
画素トランジスタ５１のゲート電極には、走査線Ｙが接続され、画素トランジスタ５１
のソース電極には、データ線Ｘが接続され、画素トランジスタ５１のドレイン電極には、
画素電極５５および蓄積容量５３が接続されている。また、画素電極５５と共通電極５６
との間には、電気光学物質としての液晶が挟持される。したがって、この画素トランジス
タ５１は、走査線Ｙから選択電圧が印加されると、データ線Ｘと画素電極５５および蓄積
容量５３とを導通状態とする。
【００２２】
共通電極５６は、液晶パネルＡＡの四隅に設けられた導通部４１およびこれら導通部４
１同士を接続する共通配線４２を介して、コモン線Ｚと接続される。
【００２３】
走査線駆動回路２０は、画素トランジスタ５１を導通状態にする選択電圧を走査線Ｙ１
〜Ｙｍに線順次で供給する。例えば、ある走査線Ｙに選択電圧が供給されると、この走査
線Ｙに接続された画素トランジスタ５１が全て導通状態になり、この走査線Ｙに係る画素
５０が全て選択される。
【００２４】
コモン線駆動回路４０は、負極性の第１電位またはこの第１電位よりも高い正極性の第
２電位の駆動信号をコモン線Ｚに供給する。具体的には、このコモン線駆動回路４０は、
これら負極性の第１電位および正極性の第２電位の間で、１水平走査期間ごとに極性を反
転させる。
【００２５】
データ線駆動回路３０は、デマルチプレクサ３１を含んでおり、走査線Ｙが選択される
期間において、画像信号を各データ線Ｘに供給し、導通状態の画素トランジスタ５１を介
して、画素５０の画素電極５５に画像データを順次書き込む。
ここで、データ線駆動回路３０は、共通電極５６の電位が第１電位である場合には、第
１電位よりも高い正極性の電位でデータ線Ｘに画像信号を供給し、共通電極５６の電位が
第２電位である場合には、第２電位よりも低い負極性の電位でデータ線Ｘに画像信号を供
給する。
【００２６】
図２は、デマルチプレクサ３１のブロック図である。
デマルチプレクサ３１は、データ線Ｘを６本ずつまとめて制御可能なデマルチプレクサ
単位回路Ｍを複数有する。ここでは、これら複数のデマルチプレクサ単位回路Ｍのうち図
１中最も左側に位置するものについて説明するが、他のデマルチプレクサ回路も同様の構
成である。
【００２７】
デマルチプレクサ単位回路Ｍは、１つの入力端子ＩＴに対して６つの出力端子ＯＴ１〜
ＯＴ６を有し、これら６つの出力端子ＯＴ１〜ＯＴ６の中から選択して、この選択した出
力端子ＯＴ１〜ＯＴ６を入力端子ＩＴに接続する。デマルチプレクサ単位回路Ｍの出力端
子ＯＴ１〜ＯＴ６は、それぞれ、データ線Ｘ１〜Ｘ６に接続されている。
これにより、信号源から時分割信号として供給される画像信号を、データ線Ｘ１〜Ｘ６
に振り分ける。
【００２８】
具体的には、デマルチプレクサ単位回路Ｍは、それぞれ、第１〜第６スイッチング素子
６１〜６６を有する。これら第１〜第６スイッチング素子６１〜６６の一方のソース電極
は、全て入力端子ＩＴに接続され、ドレイン電極は、それぞれ、出力端子ＯＴ１〜ＯＴ６
に接続されている。また、第１〜第６スイッチング素子のゲート電極は、制御端子ＳＥＬ
１〜ＳＥＬ６に接続されている。
【００２９】
入力端子ＩＴには、図示しない信号源より、Ｒ（赤）、Ｇ（緑）、Ｂ（青）の各色の画
像データが時分割で多重化された画像信号が供給される。
第１〜第６スイッチング素子６１〜６６の制御端子ＳＥＬ１〜ＳＥＬ６には、第１〜第
６スイッチング素子６１〜６６のいずれかを選択する制御信号が供給される。
【００３０】
以上のデマルチプレクサ３１は、以下のように動作する。
デマルチプレクサ単位回路Ｍの入力端子ＩＴに画像信号が供給されるとともに、制御端
子ＳＥＬ１〜ＳＥＬ６に制御信号が供給される。
すると、この制御信号に応じて、第１〜第６スイッチング素子６１〜６６が順次導通状
態になる。これにより、画像信号を各出力端子ＯＴ１〜ＯＴ６に順次振り分ける。
【００３１】
以上の電気光学装置１は、以下のように動作する。
すなわち、走査線駆動回路２０から選択電圧を線順次で供給することで、順次、各走査
線Ｙに係る画素５０を全て選択する。そして、これら画素５０の選択に同期して、デマル
チプレクサ３１によりデータ線Ｘを選択して、この選択したデータ線Ｘにデータ線駆動回
路３０から画像信号を供給する。これにより、走査線駆動回路２０およびデータ線駆動回
路３０で選択した全ての画素５０に、データ線Ｘから画素トランジスタ５１を介して画像
信号が供給されて、画像データが画素電極５５に書き込まれる。
【００３２】
ここで、この電気光学装置１は、コモン線駆動回路４０により共通電極５６の電位を第
１電位および第２電位の間で反転させる。共通電極５６の電位が第１電位である場合には
、データ線駆動回路３０は、第１電位よりも高い電位でデータ線Ｘに画像信号を供給し（
以降、正極性書込と呼ぶ）、共通電極５６の電位が第２電位である場合には、データ線駆
動回路３０は、第２電位よりも低い電位でデータ線Ｘに画像信号を供給する（以降、負極
性書込と呼ぶ）。
【００３３】
画素５０の画素電極５５に画像データが書き込まれると、この画素電極５５と共通電極
５６との電位差により、液晶に駆動電圧が印加される。したがって、画像信号の電圧レベ
ルを変化させることで、液晶の配向や秩序を変化させて、各画素５０の光変調による階調
表示を行う。
なお、液晶に印加される駆動電圧は、蓄積容量５３により、画像データが書き込まれる
期間よりも３桁も長い期間に亘って保持される。
【００３４】
図３は、デマルチプレクサ３１のタイミングチャートである。
水平同期信号ＨｓｙｎｃがＬレベルからＨレベルになった後、時刻ｔ１〜ｔ４において
、制御端子ＳＥＬ１は、２回、Ｈレベルになる。このとき、Ｈレベルになる期間は、それ
ぞれ、Ｔである。
よって、データ線Ｘ１には、第１の期間としての期間２Ｔの間、出力端子ＯＴ１より画
像信号が供給されて、データ線Ｘ１に係る画素電極５５に画像データが書き込まれる。
なお、この制御端子ＳＥＬ１がＨレベルとなる期間の間隔は短いため、データ線Ｘ１に
は、画像信号がほぼ連続して出力される。
【００３５】
時刻ｔ５〜ｔ６において、制御端子ＳＥＬ２は、第２の期間としての期間Ｔの間、Ｈレ
ベルになる。よって、データ線Ｘ２には、期間Ｔの間、出力端子ＯＴ２より画像信号が供
給されて、データ線Ｘ２に係る画素電極５５に画像データが書き込まれる。
【００３６】
時刻ｔ７〜ｔ１４においても、時刻ｔ５〜ｔ６と同様に、制御端子ＳＥＬ３〜ＳＥＬ６
は、期間Ｔの間、順次Ｈレベルになる。よって、データ線Ｘ３〜Ｘ６には、それぞれ、期
間Ｔの間、出力端子ＯＴ３〜ＯＴ６より画像信号が供給されて、データ線Ｘ３〜Ｘ６に係
る画素電極５５に順次画像データが書き込まれる。
【００３７】
以上より、データ線Ｘ１には、期間２Ｔの間、画像データが書き込まれ、残るデータ線
Ｘ２〜Ｘ６には、期間Ｔの間、画像データが書き込まれる。
【００３８】
本実施形態によれば、以下のような効果がある。
（１）６つのデータ線Ｘ１〜Ｘ６のうち共通電極５６の電圧が反転された後に最初に選
択されるものをデータ線Ｘ１とし、デマルチプレクサ単位回路Ｍにより、データ線Ｘ１の
みを期間２Ｔで選択するとともに、データ線Ｘ１を除く残りのデータ線Ｘ２〜Ｘ６を期間
Ｔで順次選択する。
共通電極５６を反転させると、データ線Ｘ１の電位が変動するが、データ線Ｘ１を第１
の期間２Ｔで選択したので、このデータ線Ｘ１に係る画素電極５５にダミーで書き込むこ
とができるから、書き込み不足を防止して、色むらを低減できる。
【００３９】
（２）コモン線駆動回路４０によりコモン線Ｚの電位を１水平走査期間ごとに反転させ
て、正極性書込と負極性書込とを行ったので、液晶に印加する電圧の極性を反転でき、液
晶の劣化を防止できる。
【００４０】
＜第２実施形態＞
本実施形態では、デマルチプレクサ３１の動作のみが第１実施形態と異なり、他の構成
は第１実施形態と同様である。
図４は、本発明の第２実施形態に係る電気光学装置１のデマルチプレクサ３１のタイミ
ングチャートである。
水平同期信号ＨｓｙｎｃがＬレベルからＨレベルになった後、時刻ｔａ１〜ｔａ２にお
いて、制御端子ＳＥＬ１〜ＳＥＬ３は、第１の期間としての期間ＴＡ１の間、Ｈレベルに
なる。よって、データ線Ｘ１〜Ｘ３には、期間ＴＡ１の間、出力端子ＯＴ１〜ＯＴ３より
画像信号が供給されて、データ線Ｘ１〜Ｘ３に係る画素電極５５に画像データが書き込ま
れる。
【００４１】
時刻ｔａ３〜ｔａ４において、制御端子ＳＥＬ１は、第２の期間としての期間ＴＡ２の
間、Ｈレベルになる。よって、データ線Ｘ１には、期間ＴＡ２の間、出力端子ＯＴ１より
画像信号が供給されて、データ線Ｘ１に係る画素電極５５に画像データが書き込まれる。
【００４２】
時刻ｔａ５〜ｔａ８においても、時刻ｔａ３〜ｔａ４と同様に、制御端子ＳＥＬ２、Ｓ
ＥＬ３は、期間ＴＡ２の間、順次Ｈレベルになる。よって、データ線Ｘ２、Ｘ３には、そ
れぞれ、期間ＴＡ２の間、出力端子ＯＴ２、ＯＴ３より画像信号が供給されて、データ線
Ｘ２、Ｘ３に係る画素電極５５に順次画像データが書き込まれる。
【００４３】
時刻ｔａ９〜ｔａ１０において、時刻ｔａ１〜ｔａ２と同様に、期間ＴＡ１の間、デー
タ線Ｘ４〜Ｘ６に係る画素電極５５に画像データが書き込まれる。
【００４４】
時刻ｔａ１１〜ｔａ１６においても、時刻ｔａ３〜ｔａ４と同様に、期間ＴＡ２の間、
データ線Ｘ３〜Ｘ６に係る画素電極５５に順次画像データが書き込まれる。
【００４５】
以上より、データ線Ｘ１〜Ｘ６には、期間ＴＡ１＋ＴＡ２の間、画像データが書き込ま
れる。
【００４６】
なお、本実施形態では、制御端子ＳＥＬ１〜ＳＥＬ３を、期間ＴＡ１の間、Ｈレベルと
したが、これに限らず、制御端子ＳＥＬ１、ＳＥＬ２のみを、期間ＴＡ１の間、Ｈレベル
としてもよい。
【００４７】
本実施形態によれば、上述の（２）の効果に加え、以下のような効果がある。
（３）６つのデータ線Ｘ１〜Ｘ６のうち共通電極５６の電圧が反転された後に最初に選
択されるものをデータ線Ｘ１とし、デマルチプレクサ単位回路Ｍにより、データ線Ｘ１を
含むデータ線Ｘ１〜Ｘ３を期間ＴＡ１で選択し、その後、データ線Ｘ１のみを期間ＴＡ２
で選択し、データ線Ｘ１を除く残りのデータ線Ｘ２、Ｘ３を期間ＴＡ２で選択する。
さらに、データ線Ｘ４を含むデータ線Ｘ４〜Ｘ６を期間ＴＡ１で選択し、その後、デー
タ線Ｘ４のみを期間ＴＡ２で選択し、データ線Ｘ４を除く残りのデータ線Ｘ５、Ｘ６を期
間ＴＡ２で選択する。
したがって、共通電極５６の電圧を反転させると、データ線Ｘ１の電位が変動するが、
データ線Ｘ１を含む全てのデータ線Ｘ１〜Ｘ３に係る画素電極５５にダミーで書き込むこ
とができるから、書き込み不足を防止して、色むらを低減できる。
【００４８】
＜第３実施形態＞
本実施形態では、デマルチプレクサ３１の動作のみが第１実施形態と異なる。
図５は、本発明の第３実施形態に係る電気光学装置１のデマルチプレクサ３１のタイミ
ングチャートである。
水平同期信号ＨｓｙｎｃがＬレベルからＨレベルになった後、時刻ｔｂ１において、制
御端子ＳＥＬ１〜ＳＥＬ３は、Ｈレベルになる。よって、データ線Ｘ１〜Ｘ３には、出力
端子ＯＴ１〜ＯＴ３より画像信号が供給されて、データ線Ｘ１〜Ｘ３に係る画素電極５５
に画像データが書き込まれ始める。
【００４９】
時刻ｔｂ２において、制御端子ＳＥＬ１のみがＬレベルになり、データ線Ｘ１に係る画
素電極５５の画像データの書き込みが終了する。
【００５０】
時刻ｔｂ３において、制御端子ＳＥＬ１に続いて、制御端子ＳＥＬ２もＬレベルになり
、データ線Ｘ２に係る画素電極５５の画像データの書き込みが終了する。
【００５１】
時刻ｔｂ４において、制御端子ＳＥＬ１、ＳＥＬ２に続いて、制御端子ＳＥＬ３もＬレ
ベルになり、データ線Ｘ３に係る画素電極５５の画像データの書き込みが終了する。
【００５２】
時刻ｔｂ５において、制御端子ＳＥＬ４〜ＳＥＬ６は、Ｈレベルになる。よって、デー
タ線Ｘ４〜Ｘ６には、出力端子ＯＴ４〜ＯＴ６より画像信号が供給されて、データ線Ｘ４
〜Ｘ６に係る画素電極５５に画像データが書き込まれ始める。
【００５３】
時刻ｔｂ６において、制御端子ＳＥＬ４のみがＬレベルになり、データ線Ｘ４に係る画
素電極５５の画像データの書き込みが終了する。
【００５４】
時刻ｔｂ７において、制御端子ＳＥＬ４に続いて、制御端子ＳＥＬ５もＬレベルになり
、データ線Ｘ５に係る画素電極５５の画像データの書き込みが終了する。
【００５５】
時刻ｔｂ８において、制御端子ＳＥＬ４、ＳＥＬ５に続いて、制御端子ＳＥＬ６もＬレ
ベルになり、データ線Ｘ６に係る画素電極５５の画像データの書き込みが終了する。
【００５６】
以上より、データ線Ｘ１、Ｘ４には、第１の期間としての期間ＴＢ１の間、画像データ
が書き込まれ、データ線Ｘ２、Ｘ５には、第２の期間としての期間ＴＢ１よりも長い期間
ＴＢ２の間、画像データが書き込まれ、データ線Ｘ３、Ｘ６には、第２の期間としての期
間ＴＢ２よりも長い期間ＴＢ３の間、画像データが書き込まれる。
【００５７】
本実施形態によれば、上述の（２）の効果に加え、以下のような効果がある。
（４）６つのデータ線Ｘ１〜Ｘ６のうち共通電極５６の電圧が反転された後に最初に選
択されるものをデータ線Ｘ１とし、デマルチプレクサ単位回路Ｍにより、データ線Ｘ１を
含むデータ線Ｘ１〜Ｘ３を期間ＴＢ１で選択し、その後、引き続き、データ線Ｘ２、Ｘ３
を選択して、結果的に、データ線Ｘ２を期間ＴＢ２で選択し、データ線Ｘ３を期間ＴＢ３
で選択した。
さらに、データ線Ｘ４を含むデータ線Ｘ４〜Ｘ６を期間ＴＢ１で選択し、その後、引き
続き、データ線Ｘ５、Ｘ６を選択して、結果的に、データ線Ｘ５を期間ＴＢ２で選択し、
データ線Ｘ６を期間ＴＢ３で選択した。
したがって、共通電極５６の電圧を反転させると、データ線Ｘ１の電位が変動するが、
データ線Ｘ１を含む全てのデータ線Ｘ１〜Ｘ３に係る画素電極５５にダミーで書き込むこ
とができるから、書き込み不足を防止して、色むらを低減できる。
【００５８】
＜変形例＞
なお、本発明は前記実施形態に限定されるものではなく、本発明の目的を達成できる範
囲での変形、改良等は本発明に含まれるものである。
例えば、上述した第１、第２実施形態では、最初にデータ線Ｘ１を選択した後、所定間
隔をおいて、再びデータ線Ｘ１を選択したが、これに限らない。すなわち、データ線Ｘ１
を選択した後、データ線Ｘ１を非選択状態にすることなく、連続して選択してもよい。
【００５９】
このようにすれば、上述した（１）〜（３）の効果に加え、以下のような効果がある。
データ線Ｘ１を、非選択状態にすることなく、連続して選択した。よって、デマルチプ
レクサ単位回路Ｍのオン、オフ回数を削減できるから、デマルチプレクサ単位回路Ｍにか
かる負担を軽減して、消費電力を低減できる。
【００６０】
例えば、上述した各実施形態では、本発明を液晶を用いた電気光学装置１に適用したが
、これに限らず、液晶以外の電気光学物質を用いた電気光学装置にも適用できる。電気光
学物質とは、電気信号（電流信号または電圧信号）の供給によって透過率や輝度といった
光学的特性が変化する物質である。例えば、有機ＥＬ（Electro-Luminescent）や発光ポ
リマーなどのＯＬＥＤ素子を電気光学物質として用いた表示パネルや、着色された液体と
この液体に分散された白色の粒子とを含むマイクロカプセルを電気光学物質として用いた
電気泳動表示パネル、極性が相違する領域毎に異なる色に塗り分けられたツイストボール
を電気光学物質として用いたツイストボールディスプレイパネル、黒色トナーを電気光学
物質として用いたトナーディスプレイパネル、あるいは、ヘリウムやネオン等の高圧ガス
を電気光学物資として用いたプラズマディスプレイパネルなど各種の電気光学装置に対し
ても、上記実施形態と同様に本発明が適用され得る。
【００６１】
＜応用例＞
次に、上述した実施形態に係る電気光学装置１を適用した電子機器について説明する。
図６は、電気光学装置１を適用した携帯電話機の構成を示す斜視図である。携帯電話機
３０００は、複数の操作ボタン３００１およびスクロールボタン３００２、ならびに電気
光学装置１を備える。スクロールボタン３００２を操作することによって、電気光学装置
１に表示される画面がスクロールされる。
【００６２】
なお、電気光学装置１が適用される電子機器としては、図６に示すものの他、パーソナ
ルコンピュータ、情報携帯端末、デジタルスチルカメラ、液晶テレビ、ビューファインダ
型、モニタ直視型のビデオテープレコーダ、カーナビゲーション装置、ページャ、電子手
帳、電卓、ワードプロセッサ、ワークステーション、テレビ電話、ＰＯＳ端末、タッチパ
ネルを備えた機器などが挙げられる。そして、これらの各種電子機器の表示部として、前
述した電気光学装置が適用可能である。
【図面の簡単な説明】
【００６３】
【図１】本発明の第１実施形態に係る電気光学装置の構成を示すブロック図である。
【図２】前記電気光学装置のデータ線駆動回路を構成するデマルチプレクサ単位回路のブロック図である。
【図３】前記デマルチプレクサ単位回路のタイミングチャートである。
【図４】本発明の第２実施形態に係る電気光学装置のデータ線駆動回路を構成するデマルチプレクサ単位回路のタイミングチャートである。
【図５】本発明の第３実施形態に係る電気光学装置のデータ線駆動回路を構成するデマルチプレクサ単位回路のタイミングチャートである。
【図６】上述した電気光学装置を適用した携帯電話機の構成を示す斜視図である。
【符号の説明】
【００６４】
１…電気光学装置、２０…走査線駆動回路、３０…データ線駆動回路、４０…コモン線
駆動回路、５１…画素トランジスタ（スイッチング素子）、５５…画素電極、５６…共通
電極、３０００…携帯電話機（電子機器）、Ｍ…デマルチプレクサ単位回路、ＩＴ…入力
端子、ＯＴ１〜ＯＴ６…出力端子、Ｘ…データ線、Ｘ１…特定データ線、Ｙ…走査線、第
１の期間…２Ｔ、ＴＡ１、ＴＢ１、第２の期間…Ｔ、ＴＡ２、ＴＢ２、ＴＢ３。
【図１】
2007178525.tif 000003
【図２】
2007178525.tif 000004
【図３】
2007178525.tif 000005
【図４】
2007178525.tif 000006
【図５】
2007178525.tif 000007
【図６】
2007178525.tif 000008